Podtech/llm-jp-corpus-v4-ja_patent huggingface dataset:
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
基板と、
第１ランドと前記第１ランドよりも細い幅で前記第１ランドから引き出された配線を含む、前記基板の表面に形成された導電層と、
前記導電層の上に形成され、開口を有する絶縁層と
を有するプリント配線板であって、
前記第１ランドは、前記絶縁層が覆われている第１領域と、前記絶縁層が覆われていない第２領域とを有し、
前記配線は、前記配線が引き出された方向に沿った第１辺と前記第１辺と対向する第２辺を有し、
前記配線の前記第１辺は前記第１ランドの前記第１領域に接続されており、かつ、前記配線の前記第２辺は前記第１ランドの前記第２領域に接続されており、
前記開口の端部は、前記第１ランドの上と前記配線の前記第２辺の上に配置され、前記配線の前記第１辺の上に配置されていないことを特徴とするプリント配線板。
【請求項２】
前記配線が引き出された方向と、前記開口の端部がなす角度は鋭角又は鈍角であることを特徴とする請求項１に記載のプリント配線板。
【請求項３】
前記導電層が、前記第１ランドより前記基板の外縁に近い位置に第２ランドを有し、
前記配線は、前記基板の外縁に向かって、前記第２ランドより前記基板の外縁に近い位置まで延在していることを特徴とする請求項１又は２に記載のプリント配線板。
【請求項４】
前記第２ランドが、前記絶縁層が覆われている第３領域と、前記絶縁層が覆われていない第４領域とを有し、
前記第１ランドの前記第１領域の面積が、前記第２ランドの前記第３領域の面積よりも小さいことを特徴とする請求項３に記載のプリント配線板。
【請求項５】
前記開口が前記基板の表面の一部を露出するように配置されていることを特徴とする請求項１乃至４のいずれか１項に記載のプリント配線板。
【請求項６】
前記第１ランドの外縁は、前記絶縁層が被覆された部分よりも前記絶縁層が被覆されていない部分の方が長いことを特徴とする請求項５に記載のプリント配線板。
【請求項７】
前記第１ランドの形状は、前記基板の前記表面に対して垂直な方向からの上面視において、円形、楕円形、長円形、長方形、正方形、角部を丸めた長方形又は角部を丸めた正方形であることを特徴とする請求項１乃至６のいずれか１項に記載のプリント配線板。
【請求項８】
基板と、
第１ランドと前記第１ランドよりも細い幅で前記第１ランドから引き出された配線を含む、前記基板の表面に形成された導電層と、
前記導電層の上に形成され、開口を有する絶縁層と、を有するプリント配線板と、
前記第１ランドの一部とはんだによって接合される電子部品と、
を有するプリント回路板であって、
前記第１ランドは、前記絶縁層が覆われている第１領域と、前記絶縁層が覆われていない第２領域とを有し、
前記配線は、前記配線が引き出された方向に沿った第１辺と前記第１辺と対向する第２辺を有し、
前記配線の前記第１辺は前記第１ランドの前記第１領域に接続されており、かつ、前記配線の前記第２辺は前記第１ランドの前記第２領域に接続されており、
前記はんだは、前記第１ランドの前記第２領域及び前記配線の前記第２辺と接しており、前記第１ランドの前記第１領域及び前記配線の前記第１辺と接しておらず、
前記開口の端部は、前記第１ランドの上と前記配線の前記第２辺の上に配置され、前記配線の前記第１辺の上に配置されていないことを特徴とするプリント回路板。
【請求項９】
前記配線が引き出された方向と、前記開口の端部がなす角度は鋭角又は鈍角であることを特徴とする請求項８に記載のプリント回路板。
【請求項１０】
前記導電層が、前記第１ランドより前記基板の外縁に近い位置に第２ランドを有し、
前記配線は、前記基板の外縁に向かって、前記第２ランドより前記基板の外縁に近い位置まで延在していることを特徴とする請求項８または９に記載のプリント回路板。
【請求項１１】
前記第２ランドが、前記絶縁層が覆われている第３領域と、前記絶縁層が覆われていない第４領域とを有し、
前記第１ランドの前記第１領域が、前記第２ランドの前記第３領域よりも小さいことを特徴とする請求項１０に記載のプリント回路板。
【請求項１２】
前記開口が前記基板の表面の一部を露出するように配置されていることを特徴とする請求項８乃至１１のいずれか１項に記載のプリント回路板。
【請求項１３】
前記第１ランドの外縁は、前記絶縁層が被覆された部分よりも前記絶縁層が被覆されていない部分の方が長いことを特徴とする請求項１２に記載のプリント回路板。
【請求項１４】
前記第１ランドの形状は、前記基板の前記表面に対して垂直な方向からの上面視において、円形、楕円形、長円形、長方形、正方形、角部を丸めた長方形又は角部を丸めた正方形であることを特徴とする請求項８乃至１３のいずれか１項に記載のプリント回路板。
【請求項１５】
請求項１乃至７のいずれか１項に記載のプリント配線板が内蔵された電子機器。
【請求項１６】
請求項８乃至１４のいずれか１項に記載のプリント回路板が内蔵された電子機器。
【手続補正２】
【補正対象書類名】明細書
【補正対象項目名】００１１
【補正方法】変更
【補正の内容】
【００１１】
本発明の少なくとも１つの実施形態に係るプリント配線板は、基板と、第１ランドと前記第１ランドよりも細い幅で前記第１ランドから引き出された配線を含む、前記基板の表面に形成された導電層と、前記導電層の上に形成され、開口を有する絶縁層とを有するプリント配線板であって、前記第１ランドは、前記絶縁層が覆われている第１領域と、前記絶縁層が覆われていない第２領域とを有し、前記配線は、前記配線が引き出された方向に沿った第１辺と前記第１辺と対向する第２辺を有し、前記配線の前記第１辺は前記第１ランドの前記第１領域に接続されており、かつ、前記配線の前記第２辺は前記第１ランドの前記第２領域に接続されており、前記開口の端部は、前記第１ランドの上と前記配線の第２辺の上に配置され、前記配線の前記第１辺の上に配置されていない。
【手続補正３】
【補正対象書類名】明細書
【補正対象項目名】発明の名称
【補正方法】変更
【補正の内容】
【発明の名称】プリント配線板、プリント回路板及び電子機器
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
基板上にスペーサパターンを形成する方法であって、
スペーサコアと該スペーサコア上に形成されたコンフォーマル層とを備えた基板を用意し、
前記コンフォーマル層をエッチングして、シリコン、酸化シリコン、窒化シリコン、金属酸化物、又は金属窒化物から選択されたスペーサ材料を有するスペーサを作り出し、
パッシベーション処理を実行して、前記スペーサの頂面上及び側壁表面上にパッシベーション層を形成し、該パッシベーション層は、窒化物又は酸化物から選択されたパッシベーション材料を有し、該パッシベーション材料は、前記スペーサ材料とは異なり、
スペーサリシェイピング処理を実行して前記スペーサを整形し直し、該スペーサリシェイピング処理は、前記頂面上に形成された前記パッシベーション層を突き破り、次いで、前記スペーサの前記頂面を前記パッシベーション層よりも速いレートでエッチングするプラズマエッチングを含み、及び
スペーサ形成目標を達成するために前記パッシベーション処理及び前記スペーサリシェイピング処理を制御する、
ことを有する方法。
【請求項２】
前記パッシベーション材料は酸化物である、請求項１に記載の方法。
【請求項３】
前記スペーサ材料は窒化シリコン又は金属窒化物である、請求項２に記載の方法。
【請求項４】
前記パッシベーション材料は窒化物である、請求項１に記載の方法。
【請求項５】
前記スペーサ材料は酸化シリコン又は金属酸化物である、請求項４に記載の方法。
【請求項６】
前記パッシベーション処理を実行することは、化学気相成長プロセスを実行することを有する、請求項１に記載の方法。
【請求項７】
前記化学気相成長プロセスはプラズマアシストされる、請求項６に記載の方法。
【請求項８】
前記パッシベーション処理は、Ｎ２、Ｏ２、ＣＯ、ＣＯ２、Ｈ２、ＣｘＨｙ、ＣｘＨｙＦｚ、Ａｒ、及びＨｅからなる群から選択されるガスを有するプラズマガスケミストリを用いて実行される、請求項７に記載の方法。
【請求項９】
前記プラズマエッチングは、Ｎ２、Ｏ２、ＣＯ、ＣＯ２、Ｈ２、ＨＢｒ、Ｃｌ２、ＣｘＨｙ、Ａｒ、Ｈｅ、ＣｘＨｙＦｚ、及びＣｘＦｙからなる群から選択されるプラズマエッチングガスを有するプラズマエッチングガスケミストリを用いて実行される、請求項１に記載の方法。
【請求項１０】
前記プラズマエッチングは、ＣＨＦ３、Ｏ２、及びＡｒの混合物を用いて実行される、請求項９に記載の方法。
【請求項１１】
前記スペーサリシェイピング処理は更に、前記基板に対して遠位にある前記スペーサの端部を平らにすることを有する、請求項１に記載の方法。
【請求項１２】
前記スペーサは、ハードマスク層に近接して形成される、請求項１に記載の方法。
【請求項１３】
前記スペーサによって画成されるパターンで前記ハードマスク層をエッチングすること、を更に有する請求項１２に記載の方法。
【請求項１４】
前記ハードマスク層をエッチングすることは、Ｎ２、Ｏ２、ＣＯ、ＣＯ２、Ｈ２、ＨＢｒ、Ｃｌ２、ＣｘＨｙ、Ａｒ、Ｈｅ、ＣｘＨｙＦｚ、及びＣｘＦｙからなる群から選択されるプラズマエッチングガスを有するプラズマエッチングガスケミストリを用いて実行される、請求項１３に記載の方法。
【請求項１５】
前記基板内に物理的構造を形成するために、前記ハードマスク層によって画成されるパターンで前記基板をエッチングすること、を更に有する請求項１４に記載の方法。
【請求項１６】
前記基板をエッチングすることは、Ｎ２、Ｏ２、ＣＯ、ＣＯ２、Ｈ２、ＨＢｒ、Ｃｌ２、ＣｘＨｙ、Ａｒ、Ｈｅ、ＣｘＨｙＦｚ、及びＣｘＦｙからなる群から選択されるプラズマエッチングガスを有するプラズマエッチングガスケミストリを用いて実行される、請求項１５に記載の方法。
【請求項１７】
前記スペーサパターンを形成することは、フィン型電界効果トランジスタ（ＦｉｎＦＥＴ）構造を形成するセルフアライン式マルチパターニング（ＳＡＭＰ）技術を有する、請求項１に記載の方法。
【請求項１８】
前記ＦｉｎＦＥＴは、サブ２２ｎｍトランジスタアーキテクチャを有する、請求項１７に記載の方法。
【請求項１９】
前記スペーサコアは、シリコン、アモルファスカーボン、フォトレジスト、酸化物、及び窒化物のうちの少なくとも１つを有し、エッチング中に前記スペーサコアはエッチングされる、請求項１に記載の方法。
【請求項２０】
前記スペーサコアは、シリコン、アモルファスカーボン、フォトレジスト、及び酸化物のうちの少なくとも１つを有し、エッチング中に前記スペーサコアはエッチングされる、請求項３に記載の方法。
【請求項２１】
前記スペーサコアは、シリコン、アモルファスカーボン、フォトレジスト、及び窒化物のうちの少なくとも１つを有し、エッチング中に前記スペーサコアはエッチングされる、請求項５に記載の方法。
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
試料ブロック（１２）と、ヒートシンク（３０）と、少なくとも１つの電着型熱電要素（４８）と、を備えている組立体（１０）であって、前記試料ブロック（１２）は、それぞれが試料容器（９６）を受け入れるように構成されている１つ又は複数の凹部（１４）を備えており、前記少なくとも１つの電着型熱電要素（４８）の形状は、前記１つ又は複数の凹部（１４）の形状に適合されている、組立体（１０）。
【請求項２】
前記電着型熱電要素（４８）は前記試料ブロック（１２）と前記ヒートシンク（３０）の間に配置されている、請求項１に記載の組立体（１０）。
【請求項３】
前記電着型熱電要素（４８）は前記試料ブロック（１２）及び／又は前記ヒートシンク（３０）に接触している、請求項１又は請求項２に記載の組立体（１０）。
【請求項４】
前記試料ブロック（１２）は前記電着型熱電要素（４８）及び前記ヒートシンク（３０）へ固定されている、請求項１から請求項３の何れか一項に記載の組立体（１０）。
【請求項５】
前記試料ブロック（１２）は、ポジティブフィット接続及び／又は非ポジティブフィット接続及び／又は接着ボンド接続を用いて、前記電着型熱電要素（４８）及び前記ヒートシンク（３０）へ固定されている、請求項１から請求項４の何れか一項に記載の組立体（１０）。
【請求項６】
前記試料ブロック（１２）は少なくとも１つの固定穴（６６）を備え、前記電着型熱電要素（４８）は少なくとも１つの固定穴（６８）を備え、前記ヒートシンク（３０）は少なくとも１つの固定穴（７０）を備え、少なくとも１つのねじの切られたボルト（７２）が前記試料ブロック（１２）の前記固定穴（６６）と前記電着型熱電要素（４８）の前記固定穴（６８）と前記ヒートシンク（３０）の前記固定穴（７０）を係合している、請求項１から請求項５の何れか一項に記載の組立体（１０）。
【請求項７】
前記試料ブロック（１２）は試料容器（９６）を受け入れるように構成されている少なくとも１つの凹部（１４）を備え、前記凹部（１４）はその底端（２８）に貫通孔（２６）を備え、前記電着型熱電要素（４８）は少なくとも１つの貫通孔（６２）を備え、前記ヒートシンク（３０）は少なくとも１つの貫通孔（４４）を備え、前記凹部（１４）の前記貫通孔（２６）と前記電着型熱電要素（４８）の前記貫通孔（６２）と前記ヒートシンク（３０）の前記貫通孔（４４）は共通の軸（６４）上に整列している、請求項１から請求項６の何れか一項に記載の組立体（１０）。
【請求項８】
前記凹部（１４）は前記電着型熱電要素（４８）に向かって先細りになっている、請求項１から請求項７の何れか一項に記載の組立体（１０）。
【請求項９】
前記凹部（１４）は円錐形状をしている、請求項１から請求項８の何れか一項に記載の組立体（１０）。
【請求項１０】
前記電着型熱電要素（４８）は熱電ゾーン（８２）を備え、前記ゾーン（８２）は個別に作動できる、請求項１から請求項９の何れか一項に記載の組立体（１０）。
【請求項１１】
前記熱電ゾーン（８２）は同一の又は異なる冷却パワー又は加熱パワー特性を備えている、請求項１０に記載の組立体（１０）。
【請求項１２】
前記熱電ゾーン（８２）の各々はサブ部分を備え、前記サブ部分は同一の又は異なる冷却パワー又は加熱パワー特性を備えている、請求項１０又は請求項１１に記載の組立体（１０）。
【請求項１３】
請求項１から請求項１２の何れか一項に記載の組立体（１０）と、少なくとも１つのラボラトリ装置（８６）と、を備え、前記ラボラトリ装置（８６）は、試料に対して光を発するように構成される光源（８８）と、前記試料から発された光を検出するように構成された検出器（９０）と、を備えている、温度依存性反応を遂行するための器具（８４）。
【請求項１４】
請求項１から請求項１２の何れか一項に記載の組立体（１０）での又は請求項１３に記載の器具（８４）での温度依存性反応を遂行するための方法であって、前記電着型熱電要素（４８）を作動させることによって、試料ブロック（１２）の凹部（１４）に配置されている試料容器（９６）内に備えられている試料を１つ又は複数の指定温度に曝す段階、を備えている方法。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
少なくとも、
−  軸線（Ａ−Ａ）回りの回動方向に可動な１つの照明モジュール（２）と、
−  この照明モジュールを前記軸線（Ａ−Ａ）回りに回動するよう案内するための複数の要素（１０）と、
−  前記回動案内要素（１０）のうちの少なくとも一部を支える基部（１２）と、
−  ファン（３６）と、
を備えた、自動車両の方向性照明および／または合図装置（１）において、
前記回動案内要素の軸受（１１）が、部分的に前記基部（１２）によって形成されると共に、部分的に前記ファン（３６）の支持部品（３４）によって形成されていることを特徴とする方向性照明および／または合図装置。
【請求項２】
前記案内軸受（１１）は、前記基部（１２）の壁上に配置された円形プロファイルの一部分と、前記基部に対向して配置される前記支持部品（３４）の壁上に配置された円形プロファイルの一部分とによって形成されていることを特徴とする、請求項１記載の方向性照明および／または合図装置。
【請求項３】
前記案内軸受（１１）は、鏡像形態で配置された等しいプロファイル同士の２つの部分によって形成されていることを特徴とする、請求項２記載の方向性照明および／または合図装置。
【請求項４】
前記支持部品（３４）は、前記案内軸受（１１）の両側に配置された固定部材（５２）によって前記基部（１２）に固定されていることを特徴とする、請求項１から請求項３のうちのいずれか一項に記載の方向性照明および／または合図装置。
【請求項５】
前記基部（１２）と前記支持部品（３４）とが全く同一の材料で形成されていることを特徴とする、請求項１から請求項４のうちのいずれか一項に記載の方向性照明および／または合図装置。
【請求項６】
前記支持部品（３４）は、前記ファン（３６）の端部を受け入れるための開放部を有していることを特徴とする、請求項１から請求項５のうちのいずれか一項に記載の方向性照明および／または合図装置。
【請求項７】
前記支持部品（３４）の前記開放部は、前記案内軸受（１１）を形成する部分とは反対の側に形成されていることを特徴とする、請求項６に記載の方向性照明および／または合図装置。
【請求項８】
前記支持部品（３４）は、少なくとも前記ファン用の固定要素を有していることを特徴とする、請求項１から請求項７のうちのいずれか一項に記載の方向性照明および／または合図装置。
【請求項９】
前記ファン（３６）用の前記固定要素は、前記支持部品（３４）の前記案内軸受（１１）を形成する部分とは反対の側へ伸びる少なくとも１対の保持ラグ（４４）を備えていることを特徴とする、請求項８に記載の方向性照明および／または合図装置。
【請求項１０】
前記ファン（３６）用の固定要素が前記支持部品（３４）の側方に配置されているのに対して、前記支持部品に対しての中央位置には位置決め部材（６０）が配置されていることを特徴とする、請求項８または請求項９に記載の方向性照明および／または合図装置。
【請求項１１】
前記照明モジュール（２）は、少なくとも光線放出装置および冷却部材（４）を備えていることを特徴とする、請求項１から請求項１０のうちのいずれか一項に記載の方向性照明および／または合図装置。
【請求項１２】
前記ファン（３６）は、前記回動の軸線（Ａ−Ａ）の方向に関して、前記冷却部材（４）の少なくとも一部の直上に位置していることを特徴とする、請求項１１に記載の方向性照明および／または合図装置。
【請求項１３】
回動方向に可動な少なくとも１つの照明モジュールのためのハウジングを閉鎖外側レンズと共に画成するケーシングを備えていることを特徴とする、請求項１から請求項１２のうちのいずれか一項に記載の方向性照明および／または合図装置。
【請求項１４】
前記基部（１２）が前記ケーシングに対して固定されていることを特徴とする、請求項１３に記載の方向性照明および／または合図装置。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
可変表示を行う遊技機であって、
可変表示に対応する対応表示を表示可能な対応表示手段と、
遊技者による操作手段の操作に基づいて、遊技者が前記対応表示を視認困難または視認不能な状態とする操作演出を実行可能な操作演出実行手段と、
前記対応表示の表示態様を変化させる変化演出を実行可能な変化演出実行手段と、を備え、
前記変化演出実行手段は、
前記操作演出の実行期間として設定された期間中に前記変化演出を実行可能であり、
前記変化演出として、所定画像を前記対応表示に作用させることにより前記対応表示の表示態様を変化可能であり、
前記操作演出が実行されているときに前記変化演出が実行され、前記対応表示の表示態様が変化した後所定期間が経過したときに前記操作演出が終了されることがあり、
前記操作演出が実行されていないときに前記対応表示の表示態様が変化するときは、発光手段により前記対応表示の表示態様が変化したことを報知し、前記操作演出が実行されているときに前記対応表示の表示態様が変化するときは、前記発光手段による該報知を制限し、
前記操作演出実行手段は、前記操作演出において遊技者が前記対応表示を視認困難または視認不能な状態とする一方で、前記所定画像は視認容易な状態とする、
ことを特徴とする遊技機。
【手続補正２】
【補正対象書類名】明細書
【補正対象項目名】０００７
【補正方法】変更
【補正の内容】
【０００７】
手段Ａの遊技機は、可変表示を行う遊技機であって、
可変表示に対応する対応表示を表示可能な対応表示手段と、
遊技者による操作手段の操作に基づいて、遊技者が前記対応表示を視認困難または視認不能な状態とする操作演出を実行可能な操作演出実行手段と、
前記対応表示の表示態様を変化させる変化演出を実行可能な変化演出実行手段と、を備え、
前記変化演出実行手段は、
前記操作演出の実行期間として設定された期間中に前記変化演出を実行可能であり、
前記変化演出として、所定画像を前記対応表示に作用させることにより前記対応表示の表示態様を変化可能であり、
前記操作演出が実行されているときに前記変化演出が実行され、前記対応表示の表示態様が変化した後所定期間が経過したときに前記操作演出が終了されることがあり、
前記操作演出が実行されていないときに前記対応表示の表示態様が変化するときは、発光手段により前記対応表示の表示態様が変化したことを報知し、前記操作演出が実行されているときに前記対応表示の表示態様が変化するときは、前記発光手段による該報知を制限し、
前記操作演出実行手段は、前記操作演出において遊技者が前記対応表示を視認困難または視認不能な状態とする一方で、前記所定画像は視認容易な状態とする、
ことを特徴とする。
さらに、手段１の遊技機は、可変表示を行う遊技機（例えばパチンコ遊技機１など）であって、
可変表示に対応する対応表示を表示可能な対応表示手段（例えばアクティブ表示を行う演出制御用ＣＰＵ１２０など）と、
遊技者による操作手段の操作に基づいて、遊技者が前記対応表示を視認困難または視認不能な状態とする操作演出を実行可能な操作演出実行手段（例えばステップ８６ＡＫＳ１０９の処理を実行する演出制御用ＣＰＵ１２０など）と、
前記対応表示の表示態様を変化させる変化演出を実行可能な変化演出実行手段（例えばステップ８６ＡＫＳ１１１の処理を実行する演出制御用ＣＰＵ１２０など）と、を備え、
前記変化演出実行手段は、前記操作演出の実行期間として設定された期間中に前記変化演出を実行可能であり（例えばタイミング１〜タイミング３のいずれかのタイミングにてアクティブ表示の表示態様が変化可能であるなど）、
前記操作演出が実行されることにより、前記変化演出によって表示態様が変化した前記対応表示を遊技者が視認容易な状態となるタイミングを遅延させることが可能である（操作演出が行われることでアクティブ表示が視認困難となり、遊技者は当該操作演出が終了するまではアクティブ表示を視認できず、結果的に態様が変化したアクティブ表示を視認可能なタイミングが遅延するなど）、
ことを特徴とする。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
画像を表示可能な表示手段と、
前記表示手段の前方側にて位置を変更可能な可動部材と、
前記可動部材の位置を、前記表示手段の前方側における第１位置と第２位置との間で変更可能に制御する可動制御手段と、を備え、
前記表示手段の表示として、前記可動部材の位置が前記第１位置であるときに、前記可動部材の周辺に対応する表示位置で特定表示を行い、前記可動部材の位置が前記第２位置に変更されるときに、前記特定表示と前記可動部材との位置関係が維持されるように前記特定表示の表示位置を変更させ、前記可動部材の位置が前記第２位置に変更されたときに、前記特定表示とは異なる複数種類の追加表示のいずれかを行い、
前記特定表示と前記追加表示との組合せに応じて、遊技者にとって有利な有利状態に制御される期待度が異なり、
前記特定表示の表示位置を変更させた後に、特定条件の成立に応じて、前記可動部材の位置が前記第２位置から前記第１位置に変更される変更演出を実行可能である、
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、遊技が可能な遊技機（例えばパチンコ遊技機１など）であって、画像を表示可能な表示手段（例えば画像表示装置５など）と、前記表示手段の前方側にて位置を変更可能な可動部材（例えば可動部材８８ＡＫＡ１など）と、前記可動部材の位置を、前記表示手段の前方側における第１位置（例えば演出画像８８ＡＫＢ１〜８８ＡＫＢ３に対応する位置など）と第２位置（例えば構成例８８ＡＫＰ０における位置など）との間で変更可能に制御する可動制御手段（例えば演出制御用ＣＰＵ１２０など）と、を備え、前記表示手段の表示として、前記可動部材の位置が前記第１位置であるときに、前記可動部材の周辺に対応する表示位置で特定表示（例えば演出画像８８ＡＫＢ１〜８８ＡＫＢ３の表示など）を行い、前記可動部材の位置が前記第２位置に変更されるときに、前記特定表示と前記可動部材との位置関係が維持されるように前記特定表示の表示位置を変更させ（例えば演出実行例８８ＡＫＤ１３１〜８８ＡＫＤ１３３など）、前記可動部材の位置が前記第２位置に変更されたときに、前記特定表示とは異なる複数種類の追加表示のいずれかを行い、前記特定表示と前記追加表示との組合せに応じて、遊技者にとって有利な有利状態に制御される期待度が異なり、前記特定表示の表示位置を変更させた後に、特定条件の成立に応じて、前記可動部材の位置が前記第２位置から前記第１位置に変更される変更演出を実行可能である。
このような構成によれば、適切な演出を実行することで遊技興趣を向上させることができる。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
所定態様を所定回数繰り返す特別演出を実行する特別演出実行手段と、
前記特別演出の実行中に所定演出を実行可能な所定演出実行手段と、を備え、
前記特別演出実行手段は、前記特別演出の開始時において、前記所定演出が実行された場合、前記有利状態に制御される期待度が高いことを説明する説明演出を実行し、
前記所定演出実行手段により前記所定演出を実行しない場合、前記特別演出として前記所定態様を第１回数繰り返す場合よりも、前記所定態様を前記第１回数よりも多い第２回数繰り返す場合の方が高い割合で前記有利状態に制御し、
前記所定演出実行手段により前記所定演出を実行せず前記所定態様を前記第２回数繰り返す場合よりも、前記所定態様を前記第１回数繰り返すまでに前記所定演出実行手段により前記所定演出を実行する場合の方が高い割合で前記有利状態に制御する、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
遊技者にとって有利な有利状態に制御可能な遊技機であって、
所定態様を所定回数繰り返す特別演出を実行する特別演出実行手段と、
前記特別演出の実行中に所定演出を実行可能な所定演出実行手段と、を備え、
前記特別演出実行手段は、前記特別演出の開始時において、前記所定演出が実行された場合、前記有利状態に制御される期待度が高いことを説明する説明演出を実行し、
前記所定演出実行手段により前記所定演出を実行しない場合、前記特別演出として前記所定態様を第１回数繰り返す場合よりも、前記所定態様を前記第１回数よりも多い第２回数繰り返す場合の方が高い割合で前記有利状態に制御し、
前記所定演出実行手段により前記所定演出を実行せず前記所定態様を前記第２回数繰り返す場合よりも、前記所定態様を前記第１回数繰り返すまでに前記所定演出実行手段により前記所定演出を実行する場合の方が高い割合で前記有利状態に制御する、
ことを特徴とする。
（１）また、他の遊技機として、
遊技者にとって有利な有利状態に制御可能な遊技機（例えばパチンコ遊技機１など）であって、
所定態様を所定回数繰り返す特別演出を実行する特別演出実行手段（特別変動を行う演出制御用ＣＰＵ１２０など）と、
前記特別演出の実行中に所定演出を実行可能な所定演出実行手段（所定演出を実行する演出制御用ＣＰＵ１２０など）と、を備え、
前記所定演出実行手段により前記所定演出を実行しない場合、前記特別演出として前記所定態様を第１回数繰り返す場合よりも、前記所定態様を前記第１回数よりも多い第２回数繰り返す場合の方が高い割合で前記有利状態に制御し（例えば特別変動の実行回数が多いほど期待度が高くなっているなど）、
前記所定演出実行手段により前記所定演出を実行せず前記所定態様を前記第２回数繰り返す場合よりも、前記所定態様を前記第１回数繰り返すまでに前記所定演出実行手段により前記所定演出を実行する場合の方が高い割合で前記有利状態に制御する（例えば１２回よりも前の特別変動時に所定演出が実行された場合には、所定演出が実行されずに１２回の特別変動が行われた場合よりも期待度が高くなっているなど）、
ことを特徴としてもよい。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１部材に設けられた第１表示制御手段と、
前記第１部材とは異なる第２部材に設けられた複数の表示手段と、
前記第１部材に設けられた第２表示制御手段と、
前記第２表示制御手段から前記複数の表示手段に対し、クロック復元可能に符号化された画像データを、差動信号により伝送するデータ伝送手段と、を備え、
前記第２表示制御手段は、フレキシブルフラットケーブルを用いて前記複数の表示手段と接続可能である、
ことを特徴とする遊技機。
【請求項２】
遊技が可能な遊技機であって、
第１部材に設けられた第１表示制御手段と、
前記第１部材とは異なる第２部材に設けられた複数の表示手段と、
前記第２部材に設けられた第２表示制御手段と、
前記第１表示制御手段から前記第２表示制御手段に対し、クロック復元可能に符号化された画像データを、差動信号により伝送するデータ伝送手段と、を備え、
前記第２表示制御手段は、フレキシブルフラットケーブルを用いて前記複数の表示手段と接続可能である、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願の請求項に係る遊技機は、遊技が可能な遊技機であって、
第１部材に設けられた第１表示制御手段と、
前記第１部材とは異なる第２部材に設けられた複数の表示手段と、
前記第１部材に設けられた第２表示制御手段と、
前記第２表示制御手段から前記複数の表示手段に対し、クロック復元可能に符号化された画像データを、差動信号により伝送するデータ伝送手段と、を備え、
前記第２表示制御手段は、フレキシブルフラットケーブルを用いて前記複数の表示手段と接続可能である、
ことを特徴とする。
（Ｂ）さらに、本願の請求項に係る他の態様の遊技機は、遊技が可能な遊技機であって、
第１部材に設けられた第１表示制御手段と、
前記第１部材とは異なる第２部材に設けられた複数の表示手段と、
前記第２部材に設けられた第２表示制御手段と、
前記第１表示制御手段から前記第２表示制御手段に対し、クロック復元可能に符号化された画像データを、差動信号により伝送するデータ伝送手段と、を備え、
前記第２表示制御手段は、フレキシブルフラットケーブルを用いて前記複数の表示手段と接続可能である、
ことを特徴とする。
さらに、（１）上記目的を達成するため、他の態様に係る遊技機は、遊技が可能な遊技機（例えばパチンコ遊技機１など）であって、第１部材（例えば遊技盤２の背面など）に設けられた第１表示制御手段（例えば演出制御基板１２の演出制御用ＣＰＵ１２０など）と、前記第１部材とは異なる第２部材（例えば遊技機用枠３など）に設けられた複数の表示手段（例えばサブ画像表示装置１０２ＡＫ５１〜１０２ＡＫ５３など）と、前記第１部材に設けられた第２表示制御手段（例えば構成例１０２ＡＫ２における画像分割処理回路１０２ＡＫ３３など）と、前記第２表示制御手段から前記複数の表示手段に対し、クロック復元可能に符号化された画像データを、差動信号により伝送するデータ伝送手段（例えばシリアル送信回路１０２ＡＫ８１およびシリアル受信回路１０２ＡＫ８３など）とを備える、ことを特徴とする。
【手続補正３】
【補正対象書類名】明細書
【補正対象項目名】０００７
【補正方法】変更
【補正の内容】
【０００７】
（２）上記目的を達成するため、他の態様に係る遊技機は、遊技が可能な遊技機（例えばパチンコ遊技機１など）であって、第１部材（例えば遊技盤２の背面など）に設けられた第１表示制御手段（例えば演出制御基板１２の演出制御用ＣＰＵ１２０など）と、前記第１部材とは異なる第２部材（例えば遊技機用枠３など）に設けられた複数の表示手段（例えばサブ画像表示装置１０２ＡＫ５１〜１０２ＡＫ５３など）と、前記第２部材に設けられた第２表示制御手段（例えば構成例１０２ＡＫ１における画像分割処理回路１０２ＡＫ３３など）と、前記第１表示制御手段から前記第２表示制御手段に対し、クロック復元可能に符号化された画像データを、差動信号により伝送するデータ伝送手段（例えばシリアル送信回路１０２ＡＫ２２およびシリアル受信回路１０２ＡＫ３２など）とを備える、ことを特徴とする。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
複数種類の動作を検知可能な検知手段と、
可変表示の実行中に複数種類の演出に関する設定が可能であり、前記検知手段が検知した動作の種類に対応した演出に関する設定が可能な演出設定手段と、を備え、
所定条件が成立しているときに、複数種類の演出に関する設定のうちの特定種類の演出に関する設定が制限される一方、該特定種類の演出の設定と異なる種類の設定については制限されず、
前記所定条件は、第１所定条件と第２所定条件とを含み、
前記第２所定条件が成立したときに、前記制限が複数の可変表示に亘って実行され、
前記演出設定手段による前記演出設定の前記制限が実行中であることを報知するための制限表示を表示可能な制限表示手段をさらに備える、
ことを特徴とする遊技機。
【手続補正２】
【補正対象書類名】明細書
【補正対象項目名】０００６
【補正方法】変更
【補正の内容】
【０００６】
手段Ａの遊技機は、
可変表示を実行可能な遊技機であって、
複数種類の動作を検知可能な検知手段と、
可変表示の実行中に複数種類の演出に関する設定が可能であり、前記検知手段が検知した動作の種類に対応した演出に関する設定が可能な演出設定手段と、を備え、
所定条件が成立しているときに、複数種類の演出に関する設定のうちの特定種類の演出に関する設定が制限される一方、該特定種類の演出の設定と異なる種類の設定については制限されず、
前記所定条件は、第１所定条件と第２所定条件とを含み、
前記第２所定条件が成立したときに、前記制限が複数の可変表示に亘って実行され、
前記演出設定手段による前記演出設定の前記制限が実行中であることを報知するための制限表示を表示可能な制限表示手段と、をさらに備える、
ことを特徴とする。
さらに、手段１の遊技機は
可変表示を実行可能な遊技機（例えば、パチンコ遊技機１）であって、
複数種類の動作を検知可能な検知手段（例えば、スティックコントローラ３１Ａ）と、
可変表示の実行中に複数種類の演出に関する設定（例えば、演出モードの変更やスピーカ８Ｌ、８Ｒから出力される音の音量の変更）が可能であり、検知した動作の種類に対応した演出に関する設定が可能な演出設定手段（例えば、演出制御用ＣＰＵ１２０が図１０−１７に示す演出モード変更処理や図１０−２１に示す音量変更処理を実行する部分）と、
を備え、
所定条件が成立しているときには、複数種類の演出に関する設定のうちの特定種類の演出に関する設定が制限される一方、該特定種類の演出の設定とは異なる種類の設定については制限されない（例えば、図１０−２２に示すように、先読予告演出の実行が決定された場合やスーパーリーチの変動表示中は、該先読予告演出の対象変動表示が終了するまで、または、スーパーリーチの変動表示が終了するまで演出モードの変更が不可能となる一方で、音量の変更は常に実行可能である部分）
ことを特徴としている。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
可変表示を実行し、第１表示領域および前記第１表示領域よりも小さい第２表示領域を含む表示領域において可変表示の表示結果を導出表示可能な可変表示実行手段と、
可変表示の表示結果として特定表示結果が導出表示されたときに前記有利状態に制御可能な有利状態制御手段と、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記第２表示領域において前記特定表示結果が導出表示されて前記有利状態に制御される場合に、前記第１表示領域において前記特定表示結果が導出表示されて前記有利状態に制御される場合と比較して、有利度合いが高く、
前記演出実行手段は、前記情報出力手段から出力された設定値情報が正常でない場合、前記複数の設定値のうち遊技者にとって有利度が低い所定の設定値に対応した割合により前記示唆演出を実行可能である、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、遊技を行うことが可能であり、遊技者にとって有利な有利状態に制御可能な遊技機であって、
可変表示を実行し、第１表示領域および前記第１表示領域よりも小さい第２表示領域を含む表示領域において可変表示の表示結果を導出表示可能な可変表示実行手段と、
可変表示の表示結果として特定表示結果が導出表示されたときに前記有利状態に制御可能な有利状態制御手段と、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記第２表示領域において前記特定表示結果が導出表示されて前記有利状態に制御される場合に、前記第１表示領域において前記特定表示結果が導出表示されて前記有利状態に制御される場合と比較して、有利度合いが高く、
前記演出実行手段は、前記情報出力手段から出力された設定値情報が正常でない場合、前記複数の設定値のうち遊技者にとって有利度が低い所定の設定値に対応した割合により前記示唆演出を実行可能である、
ことを特徴とする。
さらに、（手段１）本発明による遊技機は、遊技を行うことが可能な遊技機であって、可変表示を実行し、第１表示領域（例えば、図９−２（Ａ）に示す分割領域全体）および第２表示領域（例えば、図９−２（Ｂ）に示す分割領域内の端部領域）を含む表示領域において可変表示の表示結果を導出表示可能な可変表示実行手段（例えば、演出制御用ＣＰＵ１２０におけるステップ１７１〜Ｓ１７３を実行する部分）と、可変表示の表示結果として特定表示結果（例えば、大当り図柄）が導出表示されたときに遊技者にとって有利な有利状態（例えば、大当り遊技状態）に制御可能な有利状態制御手段（例えば、遊技制御用マイクロコンピュータ１００におけるステップＳ１１４〜Ｓ１１７を実行する部分）とを備え、第１表示領域において特定表示結果が導出表示されて有利状態に制御される場合と第２表示領域において特定表示結果が導出表示されて有利状態に制御される場合とで、有利度合いが異なる（例えば、分割領域内の端部領域において大当り図柄が確定表示される場合には、分割領域全体で大当り図柄が確定表示される場合と比較して、確変大当りとなることに対する期待度（確変期待度）が高い）ことを特徴とする。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
複数の設定値のうちのいずれかの設定値に設定可能な設定手段と、
設定されている設定値にもとづいて前記有利状態に関する制御を実行可能な遊技制御手段と、
設定されている設定値を示唆する示唆演出を実行可能な示唆演出実行手段と、
遊技媒体が入賞可能な第１状態と遊技媒体が入賞困難または入賞不可能な第２状態とに変化可能な可変入賞手段と、を備え、
前記示唆演出実行手段は、前記有利状態に制御されることが報知されてから前記有利状態において前記可変入賞手段が前記第２状態から前記第１状態に変化するまでの期間において前記示唆演出を実行し、
前記有利状態に制御されることが報知される前の第１演出期間において第１演出を実行可能な第１演出実行手段と、
前記有利状態に制御されることが報知された後の第２演出期間において第２演出を実行可能な第２演出実行手段と、
前記有利状態に制御される契機となる可変表示が実行される場合に、特別演出を実行可能な特別演出実行手段と、をさらに備え、
前記特別演出が実行される場合に、前記第２演出の実行を制限し、
前記第１演出期間の長さに応じて、前記第２演出期間の長さが変化する、
ことを特徴とする遊技機。
【手続補正２】
【補正対象書類名】明細書
【補正対象項目名】０００２
【補正方法】変更
【補正の内容】
【０００２】
設定機能付きのパチンコ遊技機が提案されている（例えば特許文献１参照）。
【手続補正３】
【補正対象書類名】明細書
【補正対象項目名】０００３
【補正方法】変更
【補正の内容】
【０００３】
【特許文献１】特開２００７−６０５４６号公報
【手続補正４】
【補正対象書類名】明細書
【補正対象項目名】０００４
【補正方法】変更
【補正の内容】
【０００４】
しかしながら、特許文献１に記載されたような遊技機にあっては、有利状態に制御される契機となる可変表示において、有利状態に制御されることが報知される演出のみしか行われず、有利状態に制御されることが報知されてからの興趣を十分に高められないという問題があった。
【手続補正５】
【補正対象書類名】明細書
【補正対象項目名】０００５
【補正方法】変更
【補正の内容】
【０００５】
この発明は、上記の実状に鑑みてなされたものであり、興趣を高めることができる遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な有利状態に制御可能な遊技機であって、
複数の設定値のうちのいずれかの設定値に設定可能な設定手段と、
設定されている設定値にもとづいて前記有利状態に関する制御を実行可能な遊技制御手段と、
設定されている設定値を示唆する示唆演出を実行可能な示唆演出実行手段と、
遊技媒体が入賞可能な第１状態と遊技媒体が入賞困難または入賞不可能な第２状態とに変化可能な可変入賞手段と、を備え、
前記示唆演出実行手段は、前記有利状態に制御されることが報知されてから前記有利状態において前記可変入賞手段が前記第２状態から前記第１状態に変化するまでの期間において前記示唆演出を実行し、
前記有利状態に制御されることが報知される前の第１演出期間において第１演出を実行可能な第１演出実行手段と、
前記有利状態に制御されることが報知された後の第２演出期間において第２演出を実行可能な第２演出実行手段と、
前記有利状態に制御される契機となる可変表示が実行される場合に、特別演出を実行可能な特別演出実行手段と、をさらに備え、
前記特別演出が実行される場合に、前記第２演出の実行を制限し、
前記第１演出期間の長さに応じて、前記第２演出期間の長さが変化する、
ことを特徴とする。
この特徴によれば、有利状態に制御されることが報知されてからの興趣を高めることができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な遊技制御手段と、
動作可能な可動物と、を備え、
前記設定手段は、第１設定値と該第１設定値よりも有利度が高い第２設定値とに設定可能であり、
前記第２設定値に設定されている場合は、前記第１設定値に設定されている場合に比べて、前記可動物が動作する割合が高く、
前記可動物は、第１動作パターンと該第１動作パターンと異なる第２動作パターンとを含む複数種類の動作パターンにより動作可能であり、
前記第２設定値に設定されている場合と、前記第１設定値に設定されている場合とで、前記第１動作パターンにより前記可動物が動作する頻度が異なり、
前記有利状態における所定の制御期間において、設定されている設定値を示唆する示唆演出を実行可能な示唆演出実行手段をさらに備える、
ことを特徴とする遊技機。
【手続補正２】
【補正対象書類名】明細書
【補正対象項目名】０００２
【補正方法】変更
【補正の内容】
【０００２】
設定機能付きのパチンコ遊技機が提案されている（例えば特許文献１参照）。
【手続補正３】
【補正対象書類名】明細書
【補正対象項目名】０００３
【補正方法】変更
【補正の内容】
【０００３】
【特許文献１】特開２００７−６０５４６号公報
【手続補正４】
【補正対象書類名】明細書
【補正対象項目名】０００４
【補正方法】変更
【補正の内容】
【０００４】
しかしながら、特許文献１に記載されたような遊技機にあっては、有利状態に制御される契機となる可変表示において、有利状態に制御されることが報知される演出のみしか行われず、有利状態に制御されることが報知されてから有利状態に制御されるまでの期間の興趣を十分に高められないという問題があった。
【手続補正５】
【補正対象書類名】明細書
【補正対象項目名】０００５
【補正方法】変更
【補正の内容】
【０００５】
この発明は、上記の実状に鑑みてなされたものであり、興趣を高めることができる遊技機を提供することを目的とする。
【手続補正６】
【補正対象書類名】明細書
【補正対象項目名】０００６
【補正方法】変更
【補正の内容】
【０００６】
本発明による遊技機は、
遊技者にとって有利な有利状態（例えば、大当り遊技状態など）に制御可能な遊技機（例えば、パチンコ遊技機１）であって、
複数の設定値（例えば、設定値１〜設定値３）のうちのいずれかの設定値に設定可能な設定手段（例えば、ＣＰＵ１０３が設定変更処理を実行する部分など）と、
設定されている設定値にもとづいて前記有利状態に関する制御を実行可能な遊技制御手段（例えば、ＣＰＵ１０３が図５に示すプロセス制御処理を実行する部分など）と、
動作可能な可動物（例えば、可動体１２６ＩＷ００２）と、を備え、
前記設定手段は、第１設定値（例えば、設定値「２」）と該第１設定値よりも有利度が高い第２設定値（例えば、設定値「１」）とに設定可能であり、
前記第２設定値に設定されている場合は、前記第１設定値に設定されている場合に比べて、前記可動物が動作する割合が高く（図２１−５参照）、
前記可動物は、第１動作パターンと該第１動作パターンと異なる第２動作パターンとを含む複数種類の動作パターンにより動作可能であり、
前記第２設定値に設定されている場合と、前記第１設定値に設定されている場合とで、前記第１動作パターンにより前記可動物が動作する頻度が異なり、
前記有利状態における所定の制御期間において、設定されている設定値を示唆する示唆演出を実行可能な示唆演出実行手段をさらに備える、
ことを特徴とする。
この特徴によれば、可動物の動作と設定値とを関連付けることができ、可動物に注目させ、遊技興趣を高めることができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。